(57)【要約】【課題】頭髪に簡易に固定でき、固定した状態でパーマネント第１薬液を頭髪から洗い流したり、パーマネント第２薬液を頭髪全体に行き渡らせたりできるパーマネントウェーブ用器具を提供する。【解決手段】パーマネントウェーブ用器具１０は、隙間２０が形成されるように線状部材２２が連結された波面を備える本体１４と、本体１４の両側に設けられ、波面に沿った形状を備える一対の外枠体１６，１８を有している。一対の外枠体１６，１８は、一方の端にある谷１６ｐ，１８ｐの付近に突起２６ｐ，２８ｐを、谷１６ｐ，１８ｐに隣接する山１６ａ，１８ａの付近に突起２６ａ，２８ａを、他方の端にある谷の付近に２つの突起を、他方の端にある谷に隣接する山１６ｄ，１８ｄの付近に突起２６ｄ，２８ｄをそれぞれ備えている。【選択図】図２
2019208791.tif 000002
【特許請求の範囲】
【請求項１】
隙間が形成されるように線状部材が連結された波面を備える本体と、
前記本体の両側に設けられ、前記波面に沿った形状を備える一対の外枠体と、
を有し、
前記一対の外枠体のそれぞれが、一方の端にある山または谷の付近と、この山またはこの谷に隣接し、この山またはこの谷と逆位相である谷または山の付近と、他方の端にある山または谷の付近と、この山またはこの谷に隣接し、この山またはこの谷と逆位相である谷または山の付近に突起を備えるパーマネントウェーブ用器具。
【請求項２】
請求項１において、
前記線状部材が、前記一対の外枠体と直交するように前記一対の外枠体の間に設けられた複数の桁材と、前記本体の波面の山部および谷部で、一対の前記桁材の間に斜め格子状に設けられた補強材と、前記本体の波面の山部および谷部以外で、一対の前記桁材と直交するように一対の前記桁材の間に設けられた桟材とを備えるパーマネントウェーブ用器具。
【請求項３】
請求項１または２において、
前記一対の外枠体のそれぞれが、全ての山および全ての谷の少なくとも一方の付近に突起を備えるパーマネントウェーブ用器具。
【請求項４】
請求項１から３のいずれかにおいて、
前記本体が、波長が大きい波と、波長が小さい波を交互に備えるパーマネントウェーブ用器具。
【請求項５】
請求項４において、
前記一対の外枠体のそれぞれが、前記波長が小さい波面の山または谷の付近に突起を備えるパーマネントウェーブ用器具。
【請求項６】
上下から頭髪を挟む一対の請求項１から５のいずれかのパーマネントウェーブ用器具と、
環状部を備える弾性体と、
を有し、
前記一対のパーマネントウェーブ用器具が、半波長以上ずれて頭髪の上下に設けられており、
前記弾性体が、前記一対のパーマネントウェーブ用器具の両側の前記外枠体で隣接するそれぞれの２つの前記突起に掛けられているパーマネントウェーブ用装置。
【請求項７】
請求項６において、
前記一対のパーマネントウェーブ用器具が同形状であるパーマネントウェーブ用装置。
【請求項８】
請求項７において、
上下のうち片方の前記パーマネントウェーブ用器具が、上下反転され、もう片方の前記パーマネントウェーブ用器具と半波長ずれた状態で、前記一対のパーマネントウェーブ用器具が上下から頭髪を挟むパーマネントウェーブ用装置。
【請求項９】
請求項６から８のいずれかにおいて、
頭髪の上下のうち少なくとも一方で、前記パーマネントウェーブ用器具が、頭髪の長さ方向に連結されており、
前記弾性体が、前記連結されている２つの前記パーマネントウェーブ用器具の両側の前記外枠体で隣接するそれぞれの２つの前記突起に掛けられているパーマネントウェーブ用装置。
【発明の詳細な説明】
【技術分野】
【０００１】
本発明は、頭髪にパーマネントウェーブを形成するために使用するパーマネントウェーブ用器具と、これを複数用いたパーマネントウェーブ用装置に関するものである。
【背景技術】
【０００２】
小穴が設けられた一対の波状板を用いて、頭髪にパーマネントウェーブを形成する方法が特許文献１に記載されている。この一対の波状板を用いると、以下の手順でパーマネントウェーブが形成できる。まず、頭髪にパーマネント第１薬液を塗布する。つぎに、一対の波状板で頭髪の束を上下から挟んで、頭髪にウェーブを形成する。このとき、一対の波状板を頭髪に固定するため、特許文献１では、下方の波状板の下面から、１つおきの波の山にロッドを装着し、このロッドの一端に輪ゴムの一端を掛け、輪ゴムの他端を上方の波状板の上面を通過させて、このロッドの他端に掛けている。
【０００３】
そして、一対の波状板で頭髪の束の上下を挟んだこの状態でしばらく放置し、パーマネント第１薬液を頭髪に浸透させる。つぎに、一対の波状板で頭髪の束を挟んだまま水洗いして、頭髪からパーマネント第１薬液を洗い流す。そして、波状板の小穴からパーマネント第２薬液を頭髪に塗布し、しばらく放置して、頭髪のウェーブを定着させる。頭髪のウェーブが定着したら、頭髪から波状板を取り外し、頭髪を水洗いして、パーマネント第２薬液を洗い流す。その後、頭髪を乾燥させて、パーマネントウェーブが形成された頭髪が得られる。
【先行技術文献】
【特許文献】
【０００４】
【特許文献１】特開昭５９−７７８０５号公報
【発明の概要】
【発明が解決しようとする課題】
【０００５】
しかしながら、小穴が設けられた一対の波状板を用いたパーマネントウェーブ形成方法では、一対の波状板を頭髪に固定するために多数のロッドが必要となる。また、パーマネント第１薬液が波状板の小穴から十分に洗い流せないおそれや、波状板の小穴からパーマネント第２薬液が頭髪全体に十分に行き渡らないおそれがある。本発明はこのような事情に鑑みてなされたものであり、頭髪に簡易に固定でき、固定した状態でパーマネント第１薬液を頭髪から洗い流したり、パーマネント第２薬液を頭髪全体に十分に行き渡らせたりできるパーマネントウェーブ用器具を提供することを目的とする。
【課題を解決するための手段】
【０００６】
本発明のパーマネントウェーブ用器具は、隙間が形成されるように線状部材が連結された波面を備える本体と、本体の両側に設けられ、波面に沿った形状を備える一対の外枠体とを有し、一対の外枠体のそれぞれが、一方の端にある山または谷の付近と、この山またはこの谷に隣接し、この山またはこの谷と逆位相である谷または山の付近と、他方の端にある山または谷の付近と、この山またはこの谷に隣接し、この山またはこの谷と逆位相である谷または山の付近に突起を備える。
【０００７】
本発明のパーマネントウェーブ用装置は、上下から頭髪を挟む一対の本発明のパーマネントウェーブ用器具と、環状部を備える弾性体とを有し、一対のパーマネントウェーブ用器具が、半波長以上ずれて頭髪の上下に設けられており、弾性体が、一対のパーマネントウェーブ用器具の両側の外枠体で隣接するそれぞれの２つの突起に掛けられている。
【発明の効果】
【０００８】
本発明のパーマネントウェーブ用器具は、隙間が形成されるように線状部材が連結された波面を備えている。このため、この隙間を通して、頭髪からパーマネント第１薬液を洗い流せる。また、パーマネント第２薬液が頭髪全体に十分に行き渡る。さらに、本発明のパーマネントウェーブ用器具の外枠体が突起を備えているため、頭髪の上下から一対のパーマネントウェーブ用器具を挟んだ状態で、環状部を備える弾性体を用いて簡易に固定できる。
【図面の簡単な説明】
【０００９】
【図１】実施形態のパーマネントウェーブ用装置の二方向からの斜視図。
【図２】実施形態のパーマネントウェーブ用器具の平面側からの斜視図。
【図３】実施形態のパーマネントウェーブ用器具の底面側からの斜視図。
【図４】実施形態のパーマネントウェーブ用器具の正面図。
【図５】実施形態のパーマネントウェーブ用器具の左側面図。
【図６】実施形態のパーマネントウェーブ用器具の平面図。
【図７】実施形態のパーマネントウェーブ用器具の底面図。
【図８】他の実施形態のパーマネントウェーブ用装置の二方向からの斜視図。
【発明を実施するための形態】
【００１０】
以下、本発明のパーマネントウェーブ用器具およびパーマネントウェーブ用装置について、図面を参照しながら実施形態に基づいて説明する。なお、パーマネントウェーブ用器具およびパーマネントウェーブ用装置、パーマネントウェーブ用器具およびパーマネントウェーブ用装置の構成部材、ならびにパーマネントウェーブ用器具およびパーマネントウェーブ用装置の周辺部材の実物の寸法は、図面上の寸法と必ずしも一致していない。また、特にことわらない限り、本明細書では便宜上、図４に示すパーマネントウェーブ用器具の向きを基準に上下左右前後の方向を表す。重複説明は適宜省略する。
【００１１】
図１は、本発明の実施形態に係るパーマネントウェーブ用器具１０の使用状態を示しており、（ａ）は正面方向から、（ｂ）は背面方向からのそれぞれの斜視図である。なお、図１（ｂ）では、被使用者、すなわちパーマネントウェーブをかける者の表示を省略している。図２は、パーマネントウェーブ用器具１０の平面側からの斜視図である。図３は、パーマネントウェーブ用器具１０の底面側からの斜視図である。
【００１２】
図４は、パーマネントウェーブ用器具１０の正面図である。なお、パーマネントウェーブ用器具１０の背面図は、正面図と同一であるため省略する。図５は、パーマネントウェーブ用器具１０の左側面図である。なお、パーマネントウェーブ用器具１０の右側面図は、左側面図と同一であるため省略する。図６は、パーマネントウェーブ用器具１０の平面図である。図７は、パーマネントウェーブ用器具１０の底面図である。
【００１３】
図１に示すように、パーマネントウェーブ用器具１０は、一対で上下から頭髪Ｈを挟み、パーマネント薬液を用いて頭髪Ｈにパーマネントウェーブをかけるときに使用する。上下から頭髪Ｈを挟むとき、一対のパーマネントウェーブ用器具１０，１２の片方のパーマネントウェーブ用器具１２の上下を反転させ、左右方向にずらして、上下から頭髪Ｈを挟む。なお、パーマネントウェーブ用器具１２は、パーマネントウェーブ用器具１０と同じであるが、両者を区別して説明する便宜上、図１では、パーマネントウェーブ用器具１２およびその部材に、パーマネントウェーブ用器具１０およびその部材と異なる符号を付与することがある。
【００１４】
また、詳細は後述するが、パーマネントウェーブ用器具１０は、頭髪Ｈの長さ方向に連結できる。このように、複数のパーマネントウェーブ用器具１０を用いることによって、任意の長さで頭髪Ｈにパーマネントウェーブがかけられる。パーマネントウェーブ用器具１０は、本体１４と、一対の外枠体１６，１８を備えている。外枠体１６，１８は、本体１４の両側に連結されるように設けられている。一対の外枠体１６，１８によって、本体１４の形状が維持される。
【００１５】
本体１４は樹脂製で、隙間２０が形成されるように線状部材２２が連結された波面を備えている。このため、隙間２０を通して、頭髪からパーマネント第１薬液を洗い流せる。また、隙間２０を通して、パーマネント第２薬液が頭髪全体に十分行き渡る。頭髪にパーマネントウェーブが形成できれば、線状部材２２の形状、数量、材質、および連結位置等、ならびに隙間２０の形状および数量等は特に制限がない。また、頭髪にウェーブが形状できれば、波面の形状は特に制限がない。波面の形状は、本実施形態の円弧と直線を組み合わせた波形状以外に、例えば、正弦波形状、半円を繰り返した波形状、鋸歯状波形状などであってもよい。
【００１６】
本実施形態では、図２および図６に示すように、線状部材２２は、樹脂製の複数の桁材２２ａ、補強材２２ｂ、および桟材２２ｃを備えている。複数の桁材２２ａは、一対の外枠体１６，１８の間に、一対の外枠体１６，１８と直交して、波面に沿うように離れて設けられている。このため、パーマネントウェーブ用器具１０の使用を繰り返しても、本体１４の波形状が維持されやすい。また、外枠体１６，１８が本体１４から取れにくい。
【００１７】
補強材２２ｂは、本体１４の波面の山部１４ａ，１４ｂ，１４ｃ，１４ｄおよび谷部１４ｐ，１４ｑ，１４ｒ，１４ｓ，１４ｔで、一対の桁材２２ａ，２２ａの間に斜め格子状に設けられている。このため、パーマネントウェーブ用器具１０の使用の繰り返しによって破損しやすい本体１４の波面の山部１４ａ，１４ｂ，１４ｃ，１４ｄおよび谷部１４ｐ，１４ｑ，１４ｒ，１４ｓ，１４ｔの強度が向上する。また、斜め格子の隙間２０を通して、頭髪からパーマネント第１薬液を洗い流せる。そして、斜め格子の隙間２０を通して、パーマネント第２薬液が頭髪全体に十分行き渡る。さらに、射出成形で作製したパーマネントウェーブ用器具１０を金型から取り外すときに破損しにくい。
【００１８】
桟材２２ｃは、本体１４の波面の山部１４ａ，１４ｂ，１４ｃ，１４ｄおよび谷部１４ｐ，１４ｑ，１４ｒ，１４ｓ，１４ｔ以外で、桁材２２ａと直交するように設けられている。本体１４の波面の山部１４ａ，１４ｂ，１４ｃ，１４ｄおよび谷部１４ｐ，１４ｑ，１４ｒ，１４ｓ，１４ｔ以外の部分は、本体１４の波面の山部１４ａ，１４ｂ，１４ｃ，１４ｄおよび谷部１４ｐ，１４ｑ，１４ｒ，１４ｓ，１４ｔと比べると、強化の必要性が低い。
【００１９】
このため、本実施形態のように、本体１４の波面の山部１４ａ，１４ｂ，１４ｃ，１４ｄおよび谷部１４ｐ，１４ｑ，１４ｒ，１４ｓ，１４ｔ以外の部分を矩形格子状とすることによって、矩形格子の隙間２０が広くできる。矩形格子の隙間２０が広いと、矩形格子の隙間２０を通して、頭髪からパーマネント第１薬液を洗い流せる。また、矩形格子の隙間２０を通して、パーマネント第２薬液が頭髪全体に十分行き渡る。本実施形態では、桁材２２ａ、補強材２２ｂ、および桟材２２ｃは、一対の外枠体１６，１８とともに、一体に射出成形されている。
【００２０】
外枠体１８は外枠体１６と同じ部材なので、以下では外枠体１６についてのみ説明し、外枠体１８の説明を省略する。外枠体１６は、図４に示すように、４か所の山１６ａ，１６ｂ，１６ｃ，１６ｄと、５か所の谷１６ｐ，１６ｑ，１６ｒ，１６ｓ，１６ｔを備えている。外枠体１６は樹脂製で、本体１４の波面に沿った形状を備えている。なお、外枠体１６の端は、山であっても、谷であっても、山と谷との間であってもよい。また、外枠体１６の形状は、波長の整数倍と一致していなくてもよい。すなわち、外枠体１６は、例えば、一方の端が山で、他方の端が谷であってもよい。
【００２１】
外枠体１６は、一方の端にある山または谷の付近に突起を備えている。具体的には、外枠体１６は、左端の谷１６ｐの付近に突起２６ｐを備えている。また、外枠体１６は、一方の端にある山または谷に隣接し、この山またはこの谷と逆位相である谷または山の付近に突起を備えている。なお、山の逆位相は谷であり、谷の逆位相は山である。具体的には、外枠体１６は、左端の谷１６ｐに隣接する山１６ａの付近に突起２６ａを備えている。また、外枠体１６は、他方の端にある山または谷の付近に突起を備えている。具体的には、外枠体１６は、右端の谷１６ｔの付近に突起２６ｔを備えている。
【００２２】
また、外枠体１６は、他方の端にある山または谷に隣接し、この山またはこの谷と逆位相である谷または山の付近に突起を備えている。具体的には、外枠体１６は、右端の谷１６ｔに隣接する山１６ｄの付近に突起２６ｄを備えている。このように、外枠体１６は、少なくとも４つの突起２６ｐ，２６ａ，２６ｔ，２６ｄを備えている。詳しくは後述するが、これらの突起２６ｐ，２６ａ，２６ｔ，２６ｄは、輪ゴム等の環状部を備える弾性体を掛けて、頭髪Ｈを挟んだ複数のパーマネントウェーブ用器具１０を固定するためのものである。すなわち、外枠体１６が４つの突起２６ｐ，２６ａ，２６ｔ，２６ｄを備えていれば、環状部を備える弾性体を用いて、頭髪を挟んだ複数のパーマネントウェーブ用器具１０を簡易かつ強固に固定できる。
【００２３】
本実施形態では、外枠体１６は、山１６ｂ，１６ｃの付近にも突起２６ｂ，２６ｃをさらに備えている。すなわち、外枠体１６は、全ての山１６ａ，１６ｂ，１６ｃ，１６ｄの付近に突起２６ａ，２６ｂ，２６ｃ，２６ｄを備えている。詳しくは後述するが、外枠体１６，１８のそれぞれが、全ての山および全ての谷の少なくとも一方の付近に突起を備えることによって、仮に１つの突起が破損しても、他の突起を使用して、環状部を備える弾性体によって、頭髪を挟んだ複数のパーマネントウェーブ用器具１０が固定できる。
【００２４】
また、本実施形態では、図４に示すように、本体１４は、波長が大きい波Ｂと、波長が小さい波Ｓを交互に備えている。このため、例えば図１（ａ）に示すように、上方のパーマネントウェーブ用器具１２の上下を反転させ、右に半波長ずらして、一対のパーマネントウェーブ用器具１０，１２で頭髪Ｈを上下から挟んだときに、上下のパーマネントウェーブ用器具１０，１２は、波Ｂと波Ｓで合わさって、頭髪Ｈに装着しやすい。
【００２５】
また、本実施形態では、図２および図４に示すように、外枠体１６は、波Ｓの山１６ａ，１６ｂ，１６ｃ，１６ｄの付近に突起２６ａ，２６ｂ，２６ｃ，２６ｄを備えている。このように、外枠体１６，１８のそれぞれが、波長が小さい波Ｓの山または谷の付近に突起２６ａ，２６ｂ，２６ｃ，２６ｄ，２８ａ，２８ｂ，２８ｃ，２８ｄを備えているので、射出成形後にパーマネントウェーブ用器具１０を金型から取り外すときに、突起２６ａ，２６ｂ，２６ｃ，２６ｄ，２８ａ，２８ｂ，２８ｃ，２８ｄが破損しにくい。
【００２６】
なお、突起２６ａ，２６ｂ，２６ｃ，２６ｄの形状は、図２から図４に示すように、側面が凸文字形状となるような段を備える立体形状である。同様に、突起２８ａ，２８ｂ，２８ｃ，２８ｄの形状も、側面が凸文字形状となるような段を備える立体形状である。また、突起２６ｐ，２６ｔの形状は、突起２６ａを鉛直に二等分したうちの１つのような立体形状である。同様に、突起２８ｐ，２８ｔの形状も、突起２８ａを鉛直に二等分したうちの１つのような立体形状である。
【００２７】
図１は、本発明の実施形態に係るパーマネントウェーブ用装置３０も示している。パーマネントウェーブ用装置３０は、上下から頭髪Ｈを挟む一対のパーマネントウェーブ用器具１０，１２と、環状部を備える弾性体である輪ゴム３２を有している。前述したように、パーマネントウェーブ用器具１２が上下反転され、パーマネントウェーブ用器具１０と半波長ずれた状態で、一対のパーマネントウェーブ用器具１０，１２が上下から頭髪Ｈを挟んでいる。パーマネントウェーブ用器具１２の上下反転は、頭髪Ｈの長さ方向に半回転しても、頭髪Ｈの長さ方向と垂直な方向に半回転してもよい。本実施形態では、頭髪Ｈの長さ方向と垂直な方向に、パーマネントウェーブ用器具１２を半回転している。
【００２８】
このように、同形状のパーマネントウェーブ用器具１０，１２を用いて、頭髪Ｈにパーマネントウェーブが形成できるため、複数種のパーマネントウェーブ用器具を用いる場合と比べて、パーマネントウェーブ用器具が安価に作製できる。なお、一対のパーマネントウェーブ用器具は、半波長以上ずれていればよく、パーマネントウェーブ用器具の形状や突起の破損状況等に応じて、例えば、一波長または一波長半ずれていてもよい。
【００２９】
輪ゴム３２は、一対のパーマネントウェーブ用器具１０，１２の両側の外枠体１６，３８および外枠体１８，３６で隣接するそれぞれの２つの突起２６ａ，４８ｐおよび突起２８ａ，４６ｐに掛けられている。すなわち、輪ゴム３２の一端が、図１（ａ）に示すように、一対のパーマネントウェーブ用器具１０，１２の片側の外枠体１６，３８で隣接する２つの突起２６ａ，４８ｐに掛けられている。そして、輪ゴム３２の他端が、図１（ｂ）に示すように、一対のパーマネントウェーブ用器具１０，１２のもう片側の外枠体１８，３６で隣接する２つの突起２８ａ，４６ｐに掛けられている。
【００３０】
このため、輪ゴム３２を用いて、簡易かつ強固に、一対のパーマネントウェーブ用器具１０，１２が頭髪Ｈに固定できる。なお、環状部を備える弾性体は、輪ゴム３２以外にも、例えば、棒状弾性体と、その両端に弾性環状部とを備える部材であってもよい。また、本実施形態では、輪ゴム３２がパーマネントウェーブ用器具１２の上面で交差しているが、輪ゴム３２がパーマネントウェーブ用器具１２の上面で交差せずに、突起２６ａ，４８ｐ，２８ａ，４６ｐに掛けられていてもよい。さらに、輪ゴム３２の一端が突起２６ａ，４８ｐの周りを囲んで突起４８ｐの上で交差し、輪ゴム３２の他端が突起２８ａ，４６ｐの周りを囲んで突起４６ｐの上で交差して、輪ゴム３２がパーマネントウェーブ用器具１０，１２の上面を通過していてもよい。輪ゴム３２と同様に、他の輪ゴム４２が、突起２６ｔ，４８ｄと突起２８ｔ，４６ｄに掛けられている。
【００３１】
図８は、本発明の他の実施形態に係るパーマネントウェーブ用装置４０を示しており、（ａ）はパーマネントウェーブ用器具１０の正面方向から、（ｂ）はパーマネントウェーブ用器具１０の背面方向からのそれぞれの斜視図である。なお、図８では被使用者の表示を省略している。パーマネントウェーブ用装置４０は、パーマネントウェーブ用器具１０，１２，５０，５２を備えている。なお、パーマネントウェーブ用器具５０，５２は、パーマネントウェーブ用器具１０，１２と同じ、すなわち同形状であるが、両者を区別して説明する便宜上、パーマネントウェーブ用器具５０，５２およびその部材に、パーマネントウェーブ用器具１０，１２およびその部材と異なる符号を付与することがある。
【００３２】
パーマネントウェーブ用装置４０では、頭髪の上でパーマネントウェーブ用器具１２，５２が、頭髪の下でパーマネントウェーブ用器具１０，５０が、頭髪の長さ方向にそれぞれ連結されている。このように、上下のうち片方のパーマネントウェーブ用器具が、上下反転され、もう片方のパーマネントウェーブ用器具と半波長ずれた状態で、一対のパーマネントウェーブ用器具が上下から頭髪を挟んでいる。そして、頭髪の上下のうち少なくとも一方で、パーマネントウェーブ用器具が、頭髪の長さ方向に連結されている。
【００３３】
さらに、輪ゴム３２が、連結されている２つの前記パーマネントウェーブ用器具１２，５２の両側の外枠体３８，６８および外枠体３６，６６で隣接するそれぞれの２つの突起４８ｐ，７８ｔおよび突起４６ｐ，７６ｔに掛けられている。すなわち、輪ゴム３２の一端が、図８（ａ）に示すように、連結されている２つのパーマネントウェーブ用器具１２，５２の片側の外枠体３８，６８で隣接する２つの突起４８ｐ，７８ｔに掛けられている。そして、輪ゴム３２の他端が、図８（ｂ）に示すように、連結されている２つのパーマネントウェーブ用器具１２，５２のもう片側の外枠体３６，６６で隣接する２つの突起４６ｐ，７６ｔに掛けられている。このため、２つのパーマネントウェーブ用器具を頭髪の長さ方向に簡易に固定できる。また、輪ゴム３２の一端は、突起４８ｐ，７８ｔのほか、パーマネントウェーブ用器具１０の外枠体１６の突起２６ａにも掛けられている。
【００３４】
このように、頭髪の上で、２つのパーマネントウェーブ用器具１２，５２の外枠体３８，６８の突起４８ｐ，７８ｔに、頭髪の下で、パーマネントウェーブ用器具１０の外枠体１６の突起２６ａに輪ゴム３２の一端が掛けられ、３つのパーマネントウェーブ用器具１０，１２，５２が固定されている。つまり、頭髪の上で頭髪の長さ方向に連結されている２つのパーマネントウェーブ用器具１２，５２のつなぎ目が、頭髪の下で頭髪の長さ方向に連結されている２つのパーマネントウェーブ用器具１０，５０のつなぎ目とずれて、３つのパーマネントウェーブ用器具１０，１２，５２が固定されているので、パーマネントウェーブ用器具１２，５２のつなぎ目を中心としたパーマネントウェーブ用器具１２，５２の回動を抑えられる。
【００３５】
同様に、輪ゴム３２の他端は、突起４６ｐ，７６ｔのほか、パーマネントウェーブ用器具１０の外枠体１８の突起２８ａにも掛けられている。すなわち、輪ゴム３２の他端によっても、３つのパーマネントウェーブ用器具１０，１２，５２が固定されている。なお、輪ゴム３２の一端が突起２６ａ，４８ｐ，７８ｔの周りを囲んで突起４８ｐ，７８ｔの上で交差し、輪ゴム３２の他端が突起２８ａ，４６ｐ，７６ｔの周りを囲んで突起４６ｐ，７６ｔの上で交差して、輪ゴム３２がパーマネントウェーブ用器具１２，５２の上面を通過していてもよい。
【００３６】
頭髪の下で頭髪の長さ方向に連結されている２つのパーマネントウェーブ用器具１０，５０のつなぎ目は、頭髪の上のパーマネントウェーブ用器具５２の途中にある。このため、パーマネントウェーブ用器具１０，５０のつなぎ目を中心としたパーマネントウェーブ用器具１０，５０の回動を抑えられる。また、図８に示すように、輪ゴム３２と同様に、他の輪ゴム４２が、突起２６ｐ，７６ｔ，７８ｄと突起２８ｐ，７６ｄ，７８ｔに掛けられている。
【符号の説明】
【００３７】
１０，１２，５０，５２  パーマネントウェーブ用器具
１４  本体
１４ａ，１４ｂ，１４ｃ，１４ｄ  山部
１４ｐ，１４ｑ，１４ｒ，１４ｓ，１４ｔ  谷部
１６，１８，３６，３８，５６，５８，６６，６８  外枠体
１６ａ，１６ｂ，１６ｃ，１６ｄ  山
１６ｐ，１６ｑ，１６ｒ，１６ｓ，１６ｔ  谷
１８ａ，１８ｂ，１８ｃ，１８ｄ  山
１８ｐ，１８ｑ，１８ｒ，１８ｓ，１８ｔ  谷
２０  隙間
２２  線状部材
２２ａ  桁材
２２ｂ  補強材
２２ｃ  桟材
２６ａ，２６ｂ，２６ｃ，２６ｄ，２６ｐ，２６ｔ  突起
２８ａ，２８ｂ，２８ｃ，２８ｄ，２８ｐ，２８ｔ  突起
３０，４０  パーマネントウェーブ用装置
３２，４２  輪ゴム
４６ｄ，４６ｐ，４８ｄ，４８ｐ，７６ｄ，７６ｔ，７８ｄ，７８ｔ  突起
Ｂ  波長が大きい波
Ｓ  波長が小さい波
Ｈ  頭髪
【図１】
2019208791.tif 000003
【図２】
2019208791.tif 000004
【図３】
2019208791.tif 000005
【図４】
2019208791.tif 000006
【図５】
2019208791.tif 000007
【図６】
2019208791.tif 000008
【図７】
2019208791.tif 000009
【図８】
2019208791.tif 000010